(57)【特許請求の範囲】
【請求項１】
照明負荷と、検知範囲内の人の存非や動きを検知して人体検知信号を出力する人体検知手段と、周囲の照度に応じた照度レベル信号を出力する周囲照度検知手段と、上記人体検知手段並びに周囲照度検知手段による検知結果に応じて外部電源から上記照明負荷に供給される電力量を可変し、上記照明負荷の点灯、消灯及び調光を行う制御手段とを備え、該制御手段は、上記照明負荷の出力レベルを徐々に低下させるフェードアウトを行っている状態にあるときに外部からのトリガ信号が入力されれば上記人体検知手段並びに周囲照度検知手段による検知結果に応じて照明負荷をフェードインする際の所定の傾きよりも大きな傾きで上記照明負荷をフェードインして点灯させることを特徴とする照明装置。
【請求項２】
照明負荷と、検知範囲内の人の存非や動きを検知して人体検知信号を出力する人体検知手段と、周囲の照度に応じた照度レベル信号を出力する周囲照度検知手段と、上記人体検知手段並びに周囲照度検知手段による検知結果に応じて外部電源から上記照明負荷に供給される電力量を可変し、上記照明負荷の点灯、消灯及び調光を行う制御手段とを備え、該制御手段は、上記人体検知信号が入力された時点から所定の点灯保持時間のカウントを行うとともに該カウント中に上記照明負荷を所定の出力レベルで点灯させて成り、該点灯保持時間のカウント中の状態にあるときに外部からのトリガ信号が入力されれば上記人体検知手段並びに周囲照度検知手段による検知結果に応じて照明負荷をフェードインする際の所定の傾きよりも大きな傾きで上記照明負荷をフェードインして点灯させることを特徴とする照明装置。
【請求項３】
上記人体検知信号を上記トリガ信号とすることを特徴とする請求項１記載の照明装置。
【請求項４】
少なくとも上記照明負荷、制御手段並びにリモコン信号を受信する受信手段を具備する照明器具と、少なくとも上記検知手段及び該検知手段による検知結果に応じた上記リモコン信号を送信する送信器とで構成され、該リモコン信号を上記トリガ信号とすることを特徴とする請求項３記載の照明装置。
【請求項５】
所定のレベルを下回った上記照度レベル信号を上記トリガ信号とすることを特徴とする請求項２記載の照明装置。
【請求項６】
上記制御手段は、上記照明負荷を点灯する際のフェードインの傾きを時間帯により変えて成ることを特徴とする請求項１〜５の何れかに記載の照明装置。
【請求項７】
上記制御手段は、上記トリガ信号が入力された場合にフェードインする際の傾きを、該トリガ信号が入力されたときの上記照明負荷の出力レベルが低いほど大きくすることを特徴とする請求項１〜５の何れかに記載の照明装置。
【発明の詳細な説明】
【０００１】
【発明の属する技術分野】
本発明は照明装置に関し、特に周囲の状況を検知して照明負荷を制御する照明装置に関するものである。
【０００２】
【従来の技術】
昨今、照明装置として、目に優しい点灯機能を有し、照明で不快感を与えないような明かりを提供するものが市場に出回るようになっている。このような照明装置として、例えば、特開平５−１１４４８９号公報や特開平９−２２３５８５号公報に記載されている照明装置がある。
【０００３】
特開平５−１１４４８９号公報に記載されている照明装置は、検知領域内の人の存非や動きを検知する人体検知部並びに周囲照度を検出する照度検出部を有し、照度検出部で検出される周囲照度が予め設定されている照度よりも低照度のときに人体検知部にて人体が検知された場合に、図１６に示すように照明負荷を所定の傾きで点灯状態へフェードインするとともに予め設定された時間だけ高輝度点灯状態を維持するものである。
【０００４】
また、特開平９−２２３５８５号公報に記載されている照明装置は、検知領域内の人の存非や動きを検知する人体検知部と、照明負荷への供給電力を制御する電力制御部と、人体検知後に照明負荷の点灯状態を保持する点灯保持時間をカウントするタイマと、人体検知の有無に関係なく強制的に照明負荷を点灯させる強制点灯モード、人体検知部で人体検知した場合に上記点灯保持時間だけ照明負荷を点灯する通常モード、あるいは、おやすみモードに切り換えて選択する切換スイッチとを少なくとも備えている。ここで、通常モードからおやすみモードに切り換わると、照明負荷の点灯レベルを定格レベルからかなり低い調光レベル（定格レベルを１００％とした場合に例えば５〜４０％程度）に低下させ、人体検知部で人体を検知すると消灯状態から上記調光レベルまでゆっくりとフェードインさせるようになっている（図１７参照）。
【０００５】
ところで、上述のような人体検知部を備えた照明装置においては、一般に人体を検知して照明負荷を点灯し、所定時間後に自動的に消灯するような制御を行っている。例えば、人体検知部が焦電型のものであると人の動きが少ないために人体検知が行われないことがあり、検知領域内に人が存在するにもかかわらず所定時間後に照明負荷が消灯してしまう場合がある。このとき、照明負荷を再度点灯させるには、検知領域内に存在する人が暗い中で人体検知部に検知されるように動く必要がある。このような不具合の発生を回避するためには、照明負荷を消灯する際に徐々に出力を下げる（フェードアウトする）ようにすればよい。さらに、照明負荷が間もなく消灯することを使用者に知らせるために、フェードアウトの途中で数秒間だけフェードアウトを中止して一定の出力で点灯させる、所謂消灯お知らせ機能を有する照明装置もある。
【０００６】
しかしながら、従来の照明装置では、照明負荷を消灯する状態（フェードアウト中）に人体検知部で人体を検知した場合、上記公報に記載されている従来例のように一定の傾きで照明負荷をフェードインするような制御が行われていた。つまり、同一のモードで照明負荷を点灯する際のフェードインの傾きは一定であった（図１６及び図１７参照）。
【０００７】
【発明が解決しようとする課題】
ところが、上述のように照明負荷を自動的に消灯する場合において、照明負荷のフェードアウトや上記消灯お知らせ機能による点灯状態を人が確認しているということは、少なくとも人体検知部の検知領域内に人がまだ存在していることを示している。従って、このような状況において再度照明負荷の出力を上げる（フェードインする）ときに、通常のときと同じスピード（傾き）でフェードインを行うよりも速いスピード（傾き）でフェードインを行って照明負荷を早く点灯させて使用者に本来の明るさを提供する方が望ましい。
【０００８】
本発明は上記事情に鑑みて為されたものであり、その目的とするところは、照明負荷を点灯させる際のフェードインの傾きを状況に応じて変化させることで快適な明かりを提供することができる照明装置を提供することにある。
【０００９】
【課題を解決するための手段】
請求項１の発明では、上記目的を達成するために、照明負荷と、検知範囲内の人の存非や動きを検知して人体検知信号を出力する人体検知手段と、周囲の照度に応じた照度レベル信号を出力する周囲照度検知手段と、上記人体検知手段並びに周囲照度検知手段による検知結果に応じて外部電源から上記照明負荷に供給される電力量を可変し、上記照明負荷の点灯、消灯及び調光を行う制御手段とを備え、該制御手段は、上記照明負荷の出力レベルを徐々に低下させるフェードアウトを行っている状態にあるときに外部からのトリガ信号が入力されれば上記人体検知手段並びに周囲照度検知手段による検知結果に応じて照明負荷をフェードインする際の所定の傾きよりも大きな傾きで上記照明負荷をフェードインして点灯させることを特徴とする。
【００１０】
請求項２の発明は、上記目的を達成するために、照明負荷と、検知範囲内の人の存非や動きを検知して人体検知信号を出力する人体検知手段と、周囲の照度に応じた照度レベル信号を出力する周囲照度検知手段と、上記人体検知手段並びに周囲照度検知手段による検知結果に応じて外部電源から上記照明負荷に供給される電力量を可変し、上記照明負荷の点灯、消灯及び調光を行う制御手段とを備え、該制御手段は、上記人体検知信号が入力された時点から所定の点灯保持時間のカウントを行うとともに該カウント中に上記照明負荷を所定の出力レベルで点灯させて成り、該点灯保持時間のカウント中の状態にあるときに外部からのトリガ信号が入力されれば上記人体検知手段並びに周囲照度検知手段による検知結果に応じて照明負荷をフェードインする際の所定の傾きよりも大きな傾きで上記照明負荷をフェードインして点灯させることを特徴とする。
【００１１】
請求項３の発明は、請求項１の発明において、上記人体検知信号を上記トリガ信号とすることを特徴とする。
請求項４の発明は、請求項３の発明において、少なくとも上記照明負荷、制御手段並びにリモコン信号を受信する受信手段を具備する照明器具と、少なくとも上記検知手段及び該検知手段による検知結果に応じた上記リモコン信号を送信する送信器とで構成され、該リモコン信号を上記トリガ信号とすることを特徴とする。
請求項５の発明は、請求項２の発明において、所定のレベルを下回った上記照度レベル信号を上記トリガ信号とすることを特徴とする。
請求項６の発明は、請求項１〜５の何れかの発明において、上記制御手段は、上記照明負荷を点灯する際のフェードインの傾きを時間帯により変えて成ることを特徴とする。
【００１２】
請求項７の発明は、請求項１〜５の何れかの発明において、上記制御手段は、上記トリガ信号が入力された場合にフェードインする際の傾きを、該トリガ信号が入力されたときの上記照明負荷の出力レベルが低いほど大きくすることを特徴とする。
【００１３】
【発明の実施の形態】
以下、本発明の実施形態を説明する前に、本発明と構成要件の一部が共通である基本例について説明する。
（基本例１）
図１は本発明の基本例１を示すブロック図である。本基本例の照明装置は、例えば電球や放電灯のような照明負荷１と、商用交流電源ＡＣから照明負荷１に供給される電力量を可変する照明負荷制御部２と、照明負荷１への供給電力量を調整するための負荷制御信号を照明負荷制御部２に出力して照明負荷１の点灯、消灯及び調光を行う制御部３と、検知領域内における人の存非や動きを検知する人体検知部４とを備え、照明負荷制御部２と制御部３とで制御手段が、人体検知部４で検知手段が各々構成されている。なお、図示していないが、制御部３に対して点灯、消灯、調光などの指示を与えるための操作部を設けるようにしてもよい。
【００１４】
照明負荷制御部２は、例えば照明負荷１が電球であればトライアックを用いて商用交流電源ＡＣの電源電圧を位相制御することで照明負荷１への供給電力量を可変するもの等であり、照明負荷１が放電灯であればインバータ回路で構成され、その発振周波数を調整することで照明負荷１への供給電力量を可変するもの等である。
【００１５】
また、制御部３はマイクロコンピュータを主構成要素とし、操作部４から入力される信号に応じて、照明負荷１の点灯、消灯、調光を行うための負荷制御信号を生成する。なお、この負荷制御信号は、例えば上記トライアックのオン期間を決定する信号や、インバータ回路の発振周波数を決定する信号である。
人体検知部４は、人体の動きに応じた赤外線の変化を検知する焦電型の赤外線センサ４ａと、赤外線センサ４ａで検知した赤外線の変化量を増幅する増幅部４ｂと、増幅部４ｂで増幅された変化量を基準レベルと比較し、基準レベルを越える変化量であった場合に人体検知信号を出力する比較部４ｃとで構成され、検知領域内における人の存非（動き）を示す人体検知信号を制御部３に出力するものである。
【００１６】
而して、制御部３は、人体検知部４からの人体検知信号や図示しない操作部からの信号を入力とし、それらの信号を判断して、設定された動作モードに応じた照明負荷１の点灯、消灯、調光を行う負荷制御信号を生成し、照明負荷制御部２に負荷制御信号を出力して動作モードに応じた制御を行うのである。
次に本基本例の動作を図２〜図４に基づいて詳細に説明する。本基本例の通常の動作は従来例で説明した動作と基本的に同じであって、人体検知部４から人体検知信号が入力されると制御部３が照明負荷１の出力を０％から１００％（定格出力あるいは最大出力）まで徐々に上げる（フェードインする）ような負荷制御信号を生成し、照明負荷制御部２に上記負荷制御信号を出力して照明負荷１を点灯する。このときのフェードインのスピードは、例えば、照明負荷１の出力を０％から１００％まで０．８秒で連続して上げるスピードである。なお、以下の説明では上記のように定義されるフェードインのスピード（傾き）をＶ(0.8)0-100と表記する。同様に、照明負荷１の出力を１００％から０％まで０．８秒で連続して下げる（フェードアウトする）ときのスピード（傾き）をＶ(0.8)100-0と表記する。
【００１７】
さらに、制御部３が具備するタイマ３ａが、人体検知部４から人体検知信号が入力された時点から照明負荷１の点灯を継続する時間（以下、「点灯保持時間」と呼ぶ。）τのカウントを開始する。そして、制御部３はタイマ３ａが点灯保持時間τをカウントしている間は照明負荷１を所定のレベル（例えば、１００％の全点灯）で点灯し、タイマ３ａが点灯保持時間τのカウントを完了したら出力を徐々に下げる（フェードアウトする）ことで照明負荷１を消灯する。このときのフェードアウトのスピード（傾き）は、照明負荷１の出力を１００％から０％まで０．８秒で連続して下げるスピードであり、フェードインのスピードと絶対値が同じである。但し、照明負荷１が間もなく消灯することを使用者に知らせるために、制御部３はフェードアウトの途中で数秒間だけフェードアウトを中止して一定の出力（例えば５０％、但しこれに限定するものではない）で点灯させている（消灯お知らせ機能）。なお、タイマ３ａが点灯保持時間τのカウントを完了する時点で照明負荷１が消灯するようにフェードアウトを開始してもよい。
【００１８】
ここで、上記消灯お知らせ機能により、フェードアウトを途中で停止して一定の出力で照明負荷１を点灯させている間に人体検知部４から人体検知信号の入力があった場合、制御部３はタイマ３ａの点灯保持時間τのカウント動作をリセットして再度最初から点灯保持時間τのカウントを開始させるとともに、照明負荷１を初期の点灯状態（出力１００％の点灯状態）に戻すようにフェードインを行う。
【００１９】
このとき制御部３は、図３に示すように、照明負荷１を初期点灯状態に戻すためのフェードインのスピード（傾き）を最初に消灯状態（０％）から全点灯（１００％）までフェードインするスピードよりも速く、例えば、照明負荷１の出力を０％から１００％まで０．２秒で連続して上げるスピード（＝Ｖ(0.2)0-100）でフェードインする。一方、従来例においては、図４に示すように照明負荷１を初期点灯状態に戻すためのフェードインを、最初に消灯状態から全点灯までフェードインするスピードと等しいスピード（＝Ｖ(0.8)0-100）で行っていたが、本基本例のように照明負荷１の出力が一定値（５０％）のときに人体検知信号が入力された場合に通常のフェードインよりも速いフェードインを行うことにより、使用者が消灯お知らせの状態に気づいて再び照明負荷１を全点灯させようとするときには、通常時よりも照明負荷１を早く、短い時間で全点灯させることができ、使用者に対してより快適な明かりを提供することができる。なお、使用者はフェードアウトするときまで照明負荷１による照明の下に居るので、上述のようにフェードアウトの途中から通常よりも速いフェードインを行っても使用者が明るさに不快感を感じる虞はない。
【００２０】
（基本例２）
図５は本発明の基本例２を示すブロック図である。本基本例では、照明器具１０と送信器２０とで照明装置が構成されている。照明器具１０は基本例１における照明負荷１、照明負荷制御部２、制御部３並びに受信部１１を備え、送信器２０は人体検知部４、蓄電池等を具備する内部電源部２１、送信器制御部２２並びに送信部２３を備え、送信器制御部２２にはタイマ２２ａも具備している。なお、基本例１と同じ機能を有する部分には同一の符号を付して説明を省略する。
【００２１】
而して、送信器２０では人体検知部４から送信器制御部２２に人体検知信号が入力されると、送信部２３を制御して負荷制御信号に対応したコードのワイヤレス信号を送信する。ここで、送信部２３は赤外光を発する発光ダイオード（ＬＥＤ）２３ａを具備しており、この発光ダイオード２３ａから発する赤外光を用いて上記ワイヤレス信号を伝送するものである。
【００２２】
一方、送信器２０からのワイヤレス信号は照明器具１０の受信部１１で受信されて制御部３に送られる。そして、制御部３にて受信したワイヤレス信号に基づいて負荷制御信号を生成し、生成した負荷制御信号を照明負荷制御部２に出力して照明負荷１の点灯、消灯、調光等の制御を行うのである。なお、具体的な動作については基本例１と共通であるから説明は省略する。
【００２３】
本基本例では照明装置を照明負荷１、照明負荷制御部２並びに制御部３を備えた照明器具１０と、人体検知部４を具備する送信器２０とに分離することにより、基本例１と同様の作用効果を奏すると同時に人体検知部４の設置場所の自由度を拡げることができて使い勝手が向上するという利点がある。
（基本例３）
本基本例の構成は基本例１と共通するので図示及び説明は省略する。基本例１及び２では、フェードアウト中に消灯お知らせ機能がはたらいて照明負荷１の出力が一定値（５０％）に維持されているときに人体検知信号が入力された場合に、制御部３が通常のフェードインよりも速いフェードインを行っているが、本基本例では、基本例１又は２と同様に照明負荷１の出力が一定値（５０％）に維持されているときだけでなくフェードアウトの途中で人体検知信号が入力された場合にも、制御部３がその時点から通常のフェードインよりも速いフェードインを行うようになっている。
【００２４】
而して、図６に示すように消灯お知らせ機能がはたらく一定値（５０％）に達するまでのフェードアウト中に人体検知信号が入力された場合や、あるいは図７に示すように消灯お知らせ機能が終了して上記一定値（５０％）から消灯（０％）するまでのフェードアウト中に人体検知信号が入力された場合に、制御部３は照明負荷１を初期点灯状態に戻すためのフェードインのスピード（傾き）を最初に消灯状態（０％）から全点灯（１００％）までフェードインするスピードよりも速く、例えば、照明負荷１の出力を０％から１００％まで０．２秒で連続して上げるスピード（＝Ｖ(0.2)0-100）でフェードインする。
【００２５】
本基本例のようにフェードアウトの途中で人体検知信号が入力された場合にも制御部３がその時点から通常のフェードインよりも速いフェードインを行うようにすれば、基本例１又は２よりもさらに快適性が得られる。
（実施形態１）
図８は本発明の実施形態１を示すブロック図であり、基本例１に対して照度検知部５を設けてあるが、照度検知部５以外の構成については基本例１と共通であるので、共通する部分には同一の符号を付して説明を省略する。
【００２６】
照度検知部５は、ＣｄＳのような光電変換素子から成る照度センサ５ａと、照度センサ５ａの出力を増幅する増幅部５ｂとで構成され、周囲照度に応じた照度レベル信号を制御部３に出力するものである。
ところで、基本例１〜３においては照明負荷１の出力が所定値以上であるときに人体検知信号が入力された場合に、制御部３が通常のフェードインよりも速いフェードインを行っているが、本基本例では照明負荷１の出力が０％のとき（消灯時）に照度検知部５からの照度レベル信号がしきい値を下回った場合に、制御部３が通常のフェードインよりも速いフェードインを行っており、このような制御を行う点に本実施形態の特徴がある。
【００２７】
次に図９を参照して本実施形態の動作を詳細に説明する。まず通常の動作では、人体検知部４から人体検知信号が入力されると制御部３がタイマ４ａに点灯保持時間τのカウントを開始させ、この時点で周囲が暗い場合、つまり照度検知部５から入力される照度レベル信号がしきい値を下回っている場合には照明が必要であるから照明負荷１を通常のスピード（＝Ｖ(0.8)0-100）でフェードインする。そして、タイマ４ａによる点灯保持時間τのカウントが完了する時点で照明負荷１を消灯させるようなタイミングでフェードアウトを開始する。
【００２８】
一方、人体検知信号が入力された時点で周囲が明るい場合、つまり照度検知部５から入力される照度レベル信号がしきい値を上回っている場合には照明が不要であるから、制御部３は照明負荷１を点灯させない。そして、タイマ４ａが点灯保持時間τをカウントしている間に照度レベル信号がしきい値を下回れば、制御部３はその時点から照明負荷１のフェードインを開始する。このとき、制御部３では上記通常動作時のフェードインのスピード（＝Ｖ(0.8)0-100）よりも速いスピード（＝Ｖ(0.2)0-100）でフェードインを行う。
【００２９】
このように本実施形態では、検知領域内に人が居て点灯保持時間τのカウント中に周囲が急に照明を必要とするような暗さになった場合に、通常時よりも速く照明負荷１をフェードインして、周知が暗くなったら直ちに明かりが得られるようにして快適性を得ることができる。
なお、図１０に示すように、基本例２の構成に対して照明器具１０に本実施形態と同様の照度検知部５を設け、本実施形態と同様の制御を行うことでも同じ効果を奏することができる。
【００３０】
（実施形態２）
本実施形態の構成は基本例１と共通するので図示及び説明は省略する。本実施形態では、人体検知部４から人体検知信号の入力があっても照明負荷１を点灯しない昼間モード、人体検知信号が入力されたら照明負荷１の出力を定格（又は最大）出力の１００％までフェードインを行い且つ点灯する夜モード、人体検知信号が入力されたら照明負荷１の出力を定格（又は最大）出力の１００％までフェードイン（夜モードのフェードインよりも遅いフェードイン）を行い且つ点灯する深夜モードを有している。なお、各モードは、制御部３に時計機能を持たせ、予め設定した時刻になれば昼間モードから夜モードさらには深夜モードへ移行させてもよいし、設定用のスイッチを設けてモードの切換時刻を設定してもよいし、あるいは実施形態１で説明した照度検知部５を設けて照度レベル信号が所定値以下となる状態が一定時間継続した場合に昼間モードから夜モードへ移行するようにしてもよい。
【００３１】
次に図１１を参照して本実施形態の動作を詳細に説明する。
まず、モードが夜モードに設定されているときに人体検知部４から人体検知信号が入力されると、制御部３が照明負荷１の出力を０％から１００％まで所定のスピード（＝Ｖ(0.8)0-100）でフェードインして照明負荷１を点灯するとともに、タイマ３ａに点灯保持時間τのカウントを開始させ、このカウントが完了した時点からフェードインと同じスピード（＝Ｖ(0.8)100-0）でフェードアウトを開始する。ここで、フェードアウト中に人体検知部４から人体検知信号が入力された場合には、制御部３は通常のスピード（＝Ｖ(0.8)0-100）よりも速いスピード（＝Ｖ(0.2)0-100）でフェードインして照明負荷１を１００％で全点灯する。
【００３２】
そして、モードが夜モードから深夜モードに変更された後に人体検知部４から人体検知信号が入力されると、制御部３が照明負荷１の出力を０％から１００％まで２．５秒で連続して上げるスピード（＝Ｖ(2.5)0-100）でフェードインして照明負荷１を点灯するとともに、タイマ３ａに点灯保持時間τのカウントを開始させ、このカウントが完了した時点からフェードインと同じスピード（＝Ｖ(2.5)0-100）でフェードアウトを開始する。ここで、フェードアウト中に人体検知部４から人体検知信号が入力された場合には、制御部３は通常のスピード（＝Ｖ(2.5)0-100）よりも速く、例えば照明負荷１の出力を０％から１００％まで１．５秒で連続して上げるスピード（＝Ｖ(1.5)0-100）でフェードインして照明負荷１を１００％で全点灯する。
【００３３】
上述のように本実施形態では、時間帯（時間帯に対応したモード）に応じて、各モードにおける通常のスピードよりも速くフェードインを行うようにすることで、より快適な照明環境を得ることができる。
（実施形態３）
本実施形態の構成は基本例１と共通するので図示及び説明は省略する。基本例１においては、図１２（ａ）に示すように人体検知部４から人体検知信号が入力された場合、制御部３が通常のスピード（＝Ｖ(0.8)0-100）でフェードインを行って照明負荷１を１００％の定格出力で点灯させるとともに同じスピード（＝Ｖ(0.8)100-0）でフェードアウトを行い、そのフェードアウト中に人体検知部４から人体検知信号が入力されれば通常のスピードよりも速いスピード（＝Ｖ(0.2)0-100）でフェードインして照明負荷１を１００％で全点灯するようになっている。
【００３４】
それに対して本実施形態では、図１２（ｂ）に示すように人体検知時の照明負荷１の最大出力を５０％としたときに、人体検知部４から人体検知信号が入力されると制御部３が通常のスピード（＝Ｖ(0.8)0-100）でフェードインを行って照明負荷１を５０％の出力で点灯（調光点灯）させるとともに同じスピード（＝Ｖ(0.8)100-0）でフェードアウトを行い、そのフェードアウト中に人体検知部４から人体検知信号が入力されれば通常のスピードよりも速く、照明負荷１を０％から５０％まで０．２秒で連続して上げるスピード（＝Ｖ(0.2)0-50 ）でフェードインして照明負荷１を５０％で調光点灯する。あるいは同図（ｃ）に示すように人体検知時の照明負荷１の最大出力を３０％としたときに、人体検知部４から人体検知信号が入力されると制御部３が通常のスピード（＝Ｖ(0.8)0-100）でフェードインを行って照明負荷１を３０％の出力で点灯（調光点灯）させるとともに同じスピード（＝Ｖ(0.8)100-0）でフェードアウトを行い、そのフェードアウト中に人体検知部４から人体検知信号が入力されれば通常のスピードよりも速く、照明負荷１を０％から３０％まで０．１秒で連続して上げるスピード（＝Ｖ(0.1)0-30 ）でフェードインして照明負荷１を３０％で調光点灯する。
【００３５】
上述のように本実施形態では、照明負荷１を点灯するときの出力レベルに応じて、各出力レベルにおける通常のスピードよりも速くフェードインを行うようにすることで、より快適な照明環境を得ることができる。なお、本実施形態ではフェードアウト中にフェードインを開始する外部のトリガを人体検知部４からの人体検知信号としたが、照度検知部５から入力される照度レベル信号を外部のトリガとし、しきい値を下回る照度レベル信号が入力されたときにフェードインを開始するようにしてもよい。
【００３６】
（実施形態４）
ところで、実施形態３においてはフェードアウト中に人体検知部４から人体検知信号が入力されるタイミング（人体検知信号が入力された時点の照明負荷１の出力）に無関係に通常よりも速いフェードインを行っているが、本実施形態では上記タイミング（人体検知信号が入力された時点の照明負荷１の出力）に応じて再度フェードインする際のスピードを変えるようにした点に特徴がある。但し、本実施形態の構成は実施形態３と同様に基本例１と共通であるから図示及び説明は省略する。
【００３７】
次に図１３を参照して本実施形態の動作を詳細に説明する。まず、図１３（ａ）に示すように人体検知時の照明負荷１の最大出力を１００％としたときに、人体検知部４から人体検知信号が入力されると制御部３が通常のスピード（＝Ｖ(0.8)0-100）でフェードインを行って照明負荷１を１００％の出力で全点灯させるとともに同じスピード（＝Ｖ(0.8)100-0）でフェードアウトを行い、そのフェードアウト中に人体検知部４から人体検知信号が入力されれば通常のスピードよりも速くフェードインして照明負荷１を１００％で全点灯する点は基本例１又は実施形態３と共通である。ここで、人体検知信号が入力された時点の照明負荷１の出力が５０％以上か以下かで上記フェードインのスピードを変え、例えば、照明負荷１の出力が５０％以上のときに人体検知信号が入力されたら、制御部３は照明負荷１を０％から１００％まで０．２秒で連続して上げるスピード（＝Ｖ(0.2)0-100）でフェードインを行う。一方、照明負荷１の出力が５０％以下のときに人体検知信号が入力されたら、制御部３は照明負荷１を０％から１００％まで０．４秒で連続して上げるスピード（＝Ｖ(0.4)0-100）でフェードインを行う。
【００３８】
また、同図（ｂ）に示すように人体検知時の照明負荷１の最大出力を５０％としたときに、人体検知部４から人体検知信号が入力されると制御部３が通常のスピード（＝Ｖ(0.8)0-100）でフェードインを行って照明負荷１を５０％の出力で点灯（調光点灯）させるとともに同じスピード（＝Ｖ(0.8)100-0）でフェードアウトを行い、そのフェードアウト中に照明負荷１の出力が２５％以上のときに人体検知信号が入力されれば、制御部３は通常のスピードよりも速く、照明負荷１を０％から５０％まで０．２秒で連続して上げるスピード（＝Ｖ(0.2)0-50 ）でフェードインして照明負荷１を５０％で調光点灯する。一方、照明負荷１の出力が２５％以下のときに人体検知信号が入力されたら、制御部３は照明負荷１を０％から５０％まで０．３秒で連続して上げるスピード（＝Ｖ(0.3)0-50 ）でフェードインを行う。
【００３９】
あるいは同図（ｃ）に示すように人体検知時の照明負荷１の最大出力を３０％としたときに、人体検知部４から人体検知信号が入力されると制御部３が通常のスピード（＝Ｖ(0.8)0-100）でフェードインを行って照明負荷１を３０％の出力で点灯（調光点灯）させるとともに同じスピード（＝Ｖ(0.8)100-0）でフェードアウトを行い、そのフェードアウト中に照明負荷１の出力が１５％以上のときに人体検知信号が入力されれば、制御部３は通常のスピードよりも速く、照明負荷１を０％から３０％まで０．１秒で連続して上げるスピード（＝Ｖ(0.1)0-30 ）でフェードインして照明負荷１を３０％で調光点灯する。一方、照明負荷１の出力が１５％以下のときに人体検知信号が入力されたら、制御部３は照明負荷１を０％から３０％まで０．１５秒で連続して上げるスピード（＝Ｖ(0.15)0-30）でフェードインを行う。
【００４０】
ここで、フェードアウト中に人体検知信号が入力された時点の照明負荷１の出力が小さい程フェードインのスピードを遅くしているが、これは人体検知信号が入力された時点の照明負荷１の出力が小さい程、照明負荷１が消灯しているときからの点灯（通常の点灯）と近いスピードでフェードインを行わせるためである。また、本実施形態では照明負荷１の最大出力（１００％、５０％、３０％）に対して判定値を２つ設けているが、判定値を３つ以上設けてもよい。
【００４１】
上述のように本実施形態では、照明負荷１を点灯するときの出力レベルと、フェードアウト中に人体検知部４から人体検知信号が入力されるタイミング（人体検知信号が入力された時点の照明負荷１の出力）とに応じて再度フェードインする際のスピードを変えるようにしたため、より快適な照明環境を得ることができる。なお、本実施形態ではフェードアウト中にフェードインを開始する外部のトリガを人体検知部４からの人体検知信号としたが、照度検知部５から入力される照度レベル信号を外部のトリガとし、しきい値を下回る照度レベル信号が入力されたときにフェードインを開始するようにしてもよい。
【００４２】
（実施形態５）
本実施形態の構成は基本例１と共通するので図示及び説明は省略する。本実施形態では、実施形態２と同様に人体検知部４から人体検知信号の入力があっても照明負荷１を点灯しない昼間モード、人体検知信号が入力されたら照明負荷１の出力を定格（又は最大）出力の１００％までフェードインを行い且つ点灯する夜モード、人体検知信号が入力されたら照明負荷１の出力を定格出力の３０％までフェードイン（夜モードのフェードインよりも遅いフェードイン）を行い且つ点灯する深夜モードを有している。なお、各モードは、制御部３に時計機能を持たせ、予め設定した時刻になれば昼間モードから夜モードさらには深夜モードへ移行させてもよいし、設定用のスイッチを設けてモードの切換時刻を設定してもよいし、あるいは実施形態１で説明した照度検知部５を設けて照度レベル信号が所定値以下となる状態が一定時間継続した場合に昼間モードから夜モードへ移行するようにしてもよい。
【００４３】
次に図１４を参照して本実施形態の動作を詳細に説明する。
まず、モードが夜モードに設定されているときに人体検知部４から人体検知信号が入力されると、制御部３が照明負荷１の出力を０％から１００％まで所定のスピード（＝Ｖ(0.8)0-100）でフェードインして照明負荷１を点灯するとともに、タイマ３ａに点灯保持時間τのカウントを開始させ、このカウントが完了した時点からフェードインと同じスピード（＝Ｖ(0.8)100-0）でフェードアウトを開始する。ここで、フェードアウト中に人体検知部４から人体検知信号が入力された場合には、制御部３は通常のスピード（＝Ｖ(0.8)0-100）よりも速いスピード（＝Ｖ(0.2)0-100）でフェードインして照明負荷１を１００％で全点灯する。
【００４４】
そして、モードが夜モードから深夜モードに変更された後に人体検知部４から人体検知信号が入力されると、制御部３が照明負荷１の出力を０％から３０％まで１．５秒で連続して上げるスピード（＝Ｖ(1.5)0-30 ）でフェードインして照明負荷１を点灯するとともに、タイマ３ａに点灯保持時間τのカウントを開始させ、このカウントが完了した時点からフェードインと同じスピード（＝Ｖ(1.5)0-30 ）でフェードアウトを開始する。ここで、フェードアウト中に人体検知部４から人体検知信号が入力された場合には、制御部３は通常のスピード（＝Ｖ(1.5)0-30 ）よりも速く、例えば照明負荷１の出力を０％から３０％まで０．８秒で連続して上げるスピード（＝Ｖ(0.8)0-30 ）でフェードインして照明負荷１を３０％で調光点灯する。
【００４５】
上述のように本実施形態では、時間帯（時間帯に対応したモード）と、照明負荷１を点灯するときの出力レベルとに応じて再度フェードインする際のスピードを変えるようにしたため、より快適な照明環境を得ることができる。なお、本実施形態ではフェードアウト中にフェードインを開始する外部のトリガを人体検知部４からの人体検知信号としたが、照度検知部５から入力される照度レベル信号を外部のトリガとし、しきい値を下回る照度レベル信号が入力されたときにフェードインを開始するようにしてもよい。
【００４６】
（実施形態６）
本実施形態の構成は基本例１と共通するので図示及び説明は省略する。本実施形態では、点灯お知らせ機能がはたらいてフェードアウトが途中で一旦中止され、所定の時間（以下、この時間をお知らせ時間Ｔａと呼ぶ。）だけ一定の出力で照明負荷１を点灯している間に人体検知部４から人体検知信号が入力された場合、人体検知信号が入力されるタイミング（人体検知信号が入力された時点のお知らせ時間Ｔａの経過時間Ｔｂ）に応じて再度フェードインする際のスピードを変えるようにした点に特徴がある。
【００４７】
次に図１５を参照して本実施形態の動作を詳細に説明する。いま、お知らせ時間Ｔａが５秒に設定されているとして、経過時間Ｔｂが２秒の時点で人体検知信号が入力された場合に、制御部３は照明負荷１を０％から１００％まで０．２秒で連続して上げるスピード（＝Ｖ(0.2)0-100）でフェードインを行う。一方、経過時間Ｔｂが４秒の時点で人体検知信号が入力された場合には、制御部３は照明負荷１を０％から１００％まで０．４秒で連続して上げるスピード（＝Ｖ(0.4)0-100）でフェードインを行う。ここで、人体検知信号の入力された時点の経過時間Ｔｂが長い程フェードインのスピードを遅くしているが、これは、人体検知信号の入力された時点の経過時間Ｔｂが長いということは消灯お知らせ機能がはたらいている間に人が始めて検知領域内に進入したと考えられ、そのような状況は照明負荷１を消灯している状態（０％）から点灯させるのと似た状況であり、通常のスピードに近いスピードでフェードインする方が好ましいからである。
【００４８】
上述のように本実施形態では、人体検知信号が入力されるタイミング（人体検知信号が入力された時点のお知らせ時間Ｔａの経過時間Ｔｂ）に応じて再度フェードインする際のスピードを変えるようにしたため、より快適な照明環境を得ることができる。
【００４９】
【発明の効果】
上述のように本発明によれば、照明負荷を点灯させる際のフェードインの傾きを状況に応じて変化させることで快適な明かりを提供することができるという効果がある。
【図面の簡単な説明】
【図１】  本発明の基本例１を示すブロック図である。
【図２】  同上の動作を説明するための説明図である。
【図３】  同上の動作を説明するための説明図である。
【図４】  同上と比較した従来例の動作を説明するための説明図である。
【図５】  基本例２を示すブロック図である。
【図６】  基本例３の動作を説明するための説明図である。
【図７】  同上の動作を説明するための説明図である。
【図８】  本発明の実施形態１を示すブロック図である。
【図９】  同上の動作を説明するための説明図である。
【図１０】  同上の他の構成を示すブロック図である。
【図１１】  実施形態２の動作を説明するための説明図である。
【図１２】  実施形態３の動作を説明するための説明図である。
【図１３】  実施形態４の動作を説明するための説明図である。
【図１４】  実施形態５の動作を説明するための説明図である。
【図１５】  実施形態６の動作を説明するための説明図である。
【図１６】  従来例の動作を説明するための説明図である。
【図１７】  他の従来例の動作を説明するための説明図である。
【符号の説明】
１  照明負荷
２  負荷制御部
３  制御部
４  人体検知部
ＡＣ  商用交流電源
【図１】
0003846001.tif 000002
【図２】
0003846001.tif 000003
【図３】
0003846001.tif 000004
【図４】
0003846001.tif 000005
【図５】
0003846001.tif 000006
【図６】
0003846001.tif 000007
【図７】
0003846001.tif 000008
【図８】
0003846001.tif 000009
【図９】
0003846001.tif 000010
【図１０】
0003846001.tif 000011
【図１１】
0003846001.tif 000012
【図１２】
0003846001.tif 000013
【図１３】
0003846001.tif 000014
【図１４】
0003846001.tif 000015
【図１５】
0003846001.tif 000016
【図１６】
0003846001.tif 000017
【図１７】
0003846001.tif 000018